(57)【要約】【課題】  腕を高圧用腕金に容易に掛け止められる構造にすることで、高圧用腕金に安全かつ容易に取り付けることができ、しかも高圧碍子のナットの取付部分が緩んでも高圧用腕金から脱落させない。【解決手段】  高圧用腕金５２の端部から、高圧用腕金５２の軸方向に嵌められる下向き略コ字形状の前腕２と、前腕２の両側それぞれから、高圧用腕金５２の軸方向に突出するように連結した添え腕３と、添え腕３の後端部に、後腕４を構成するために高圧用腕金５２の横幅と略同間隔に上方に向けてそれぞれ突出させた第一ガイド体５と第二ガイド体６と、第一ガイド体５の上部に、第二ガイド体６側へ横倒自在に軸支したナット付ボルト７と、第二ガイド体６の上部に形成した、ナット付ボルト７を係合する係合溝８と、を備えた。【選択図】  図１
2006050855.tif 000002
【特許請求の範囲】
【請求項１】
高圧用腕金（５２）の端部に高圧引下線支持金物（１）を、活線作業用器具（Ａ，Ｃ）を用いて間接的な活線近接操作により仮支持すると共に、その状態のまま前記高圧用腕金（５２）に本締めする間接活線作業用の高圧引下線支持金物（１）であって、
前記高圧用腕金（５２）の端部から、該高圧用腕金（５２）の軸方向に嵌められる下向き略コ字形状の前腕（２）と、
前記前腕（２）の両側それぞれから、前記高圧用腕金（５２）の軸方向に突出するように連結した添え腕（３）と、
前記添え腕（３）の後端部に、後腕（４）を構成するために前記高圧用腕金（５２）の横幅と略同間隔に上方に向けてそれぞれ突出させた第一ガイド体（５）と第二ガイド体（６）と、
前記第一ガイド体（５）の上部に、第二ガイド体（６）側へ横倒自在に軸支したナット付ボルト（７）と、
前記第二ガイド体（６）の上部に形成した、前記ナット付ボルト（７）を係合する係合溝（８）と、を備えた、
ことを特徴とする間接活線用高圧引下線支持金物。
【請求項２】
前記前腕（２）の下部に、活線作業用器具（Ａ）で把持できる把持部（１２）を設けた、ことを特徴とする請求項１の間接活線用高圧引下線支持金物。
【請求項３】
前記前腕（２）の下部に、高圧引下用バインドレス碍子用の支持部（１３）を設けた、ことを特徴とする請求項１の間接活線用高圧引下線支持金物。
【請求項４】
前記前腕（２）の下部に、高圧ピン碍子用の支持部（１４）を設けた、ことを特徴とする請求項１の間接活線用高圧引下線支持金物。
【請求項５】
間接活線操作による高圧引下線支持金物（１）の高圧用腕金（５２）への着脱方法であって、
前記高圧用腕金（５２）の端部から、該高圧用腕金（５２）の軸方向に嵌められる下向き略コ字形状の前腕（２）と、前記前腕（２）の両側それぞれから、前記高圧用腕金（５２）の軸方向に突出するように連結した添え腕（３）と、前記添え腕（３）の後端部に、後腕（４）を構成するために前記高圧用腕金（５２）の横幅と略同間隔に上方に向けてそれぞれ突出させた第一ガイド体（５）と第二ガイド体（６）と、前記第一ガイド体（５）の上部に、第二ガイド体（６）側へ横倒自在に軸支したナット付ボルト（７）を、前記第二ガイド体（６）の上部に形成した、前記ナット付ボルト（７）を係合する係合溝（８）と、を備えた高圧引下線支持金物（１）を用い、
前記前腕（２）下部に取り付けた把持部（１２）を活線作業用器具（Ａ）で把持しながら、後腕（４）を構成する前記第一ガイド体（５）と第二ガイド体（６）を、前記高圧用腕金（５２）に差し込み、前記前腕（２）を前記高圧用腕金（５２）の端部まで嵌挿して仮支持し、
前記第一ガイド体（５）上部のナット付ボルト（７）を横倒し、第二ガイド体（６）上部の係合溝（８）に係合させ、ナット（７ａ）を他の活線作業用器具（Ｃ）で螺着することにより、前記高圧用腕金（５２）を第一ガイド体（５）と第二ガイド体（６）とで挟持して、前記高圧引下線支持金物（１）を前記高圧用腕金（５２）に固着する、ことを特徴とする高圧引下線支持金物の配電柱への着脱方法。
【請求項６】
間接活線操作による高圧引下線支持金物（１）の高圧用腕金（５２）への着脱方法であって、
前記高圧用腕金（５２）の端部から、該高圧用腕金（５２）の軸方向に嵌められる下向き略コ字形状の前腕（２）と、前記前腕（２）の両側それぞれから、前記高圧用腕金（５２）の軸方向に突出するように連結した添え腕（３）と、前記添え腕（３）の後端部に、後腕（４）を構成するために前記高圧用腕金（５２）の横幅と略同間隔に上方に向けてそれぞれ突出させた第一ガイド体（５）と第二ガイド体（６）と、前記第一ガイド体（５）の上部に、第二ガイド体（６）側へ横倒自在に軸支したナット付ボルト（７）を、前記第二ガイド体（６）の上部に形成した、前記ナット付ボルト（７）を係合する係合溝（８）と、を備えた高圧引下線支持金物（１）について、
前記前腕（２）下部に取り付けた把持部（１２）を活線作業用器具（Ａ）で把持しながら、前記後腕（４）を構成する前記第一ガイド体（５）上部のナット（７ａ）を他の活線作業用器具（Ｃ）で緩め、ナット付ボルト（７）を係合溝（８）から外し、
前記高圧用腕金（５２）の端部から、前腕（２）を軸方向に抜きながら前記高圧引下線支持金物（１）を離脱させる、ことを特徴とする高圧引下線支持金物の配電柱への着脱方法。
【請求項７】
間接活線操作による高圧引下線支持金物（１）の高圧用腕金（５２）への着脱方法であって、
前記高圧用腕金（５２）の端部から、該高圧用腕金（５２）の軸方向に嵌められる下向き略コ字形状の前腕（２）と、前記前腕（２）の両側それぞれから、前記高圧用腕金（５２）の軸方向に突出するように連結した添え腕（３）と、前記添え腕（３）の後端部に、後腕（４）を構成するために前記高圧用腕金（５２）の横幅と略同間隔に上方に向けてそれぞれ突出させた第一ガイド体（５）と第二ガイド体（６）と、前記第一ガイド体（５）の上部に、第二ガイド体（６）側へ横倒自在に軸支したナット付ボルト（７）を、前記第二ガイド体（６）の上部に形成した、前記ナット付ボルト（７）を係合する係合溝（８）と、を備えた高圧引下線支持金物（１）を用い、
前記前腕（２）下部に取り付けた高圧引下用バインドレス碍子用の支持部（１３）を活線作業用器具（Ａ）で把持しながら、後腕（４）を構成する前記第一ガイド体（５）と第二ガイド体（６）を、前記高圧用腕金（５２）に差し込み、前記前腕（２）を前記高圧用腕金（５２）の端部まで嵌挿して仮支持し、
前記第一ガイド体（５）上部のナット付ボルト（７）を横倒し、第二ガイド体（６）上部の係合溝（８）に係合させ、ナット（７ａ）を他の活線作業用器具（Ｃ）で螺着することにより、前記高圧用腕金（５２）を第一ガイド体（５）と第二ガイド体（６）とで挟持して、前記高圧引下線支持金物（１）を前記高圧用腕金（５２）に固着する、ことを特徴とする高圧引下線支持金物の配電柱への着脱方法。
【請求項８】
間接活線操作による高圧引下線支持金物（１）の高圧用腕金（５２）への着脱方法であって、
前記高圧用腕金（５２）の端部から、該高圧用腕金（５２）の軸方向に嵌められる下向き略コ字形状の前腕（２）と、前記前腕（２）の両側それぞれから、前記高圧用腕金（５２）の軸方向に突出するように連結した添え腕（３）と、前記添え腕（３）の後端部に、後腕（４）を構成するために前記高圧用腕金（５２）の横幅と略同間隔に上方に向けてそれぞれ突出させた第一ガイド体（５）と第二ガイド体（６）と、前記第一ガイド体（５）の上部に、第二ガイド体（６）側へ横倒自在に軸支したナット付ボルト（７）を、前記第二ガイド体（６）の上部に形成した、前記ナット付ボルト（７）を係合する係合溝（８）と、を備えた高圧引下線支持金物（１）について、
前記前腕（２）下部に取り付けた高圧引下用バインドレス碍子用の支持部（１３）を活線作業用器具（Ａ）で把持しながら、前記後腕（４）を構成する前記第一ガイド体（５）上部のナット（７ａ）を他の活線作業用器具（Ｃ）で緩め、ナット付ボルト（７）を係合溝（８）から外し、
前記高圧用腕金（５２）の端部から、前腕（２）を軸方向に抜きながら前記高圧引下線支持金物（１）を離脱させる、ことを特徴とする高圧引下線支持金物の配電柱への着脱方法。
【発明の詳細な説明】
【技術分野】
【０００１】
本発明は、高圧引下線を吊り下げる高圧引下線支持金物、及び活線作業用器具を用いて間接的に活線近接操作による高圧引下線支持金物を配電柱へ着脱させる方法に関するものである。
【背景技術】
【０００２】
従来から高圧引下線の支持金物については、柱上作業の安全を図るために高圧用腕金の軸方向の外側下方に支持して、配電柱から十分離隔することが好ましい。図７に示すように、配電柱５１の高圧用腕金５２に架けた高圧配電線５３から変圧器５４に高圧引下線５５を配線する際に、柱上作業の安全を図るために、高圧用腕金５２の端部付近に支持金物５６を吊り下げて高圧引留碍子１０を設置し、高圧引下線５５を固着している。従来の支持金物５６としては、図８又は図９に示すように、取付用平板５８にＬ字状の掛止孔５９を設けたものを、図１０に示すように、高圧碍子５７と高圧用腕金５２の間に挟み込んで取り付けるようになっている。
【０００３】
また、図１１に示すように、高圧用腕金５２の端部下面に、高圧引留碍子を取り付ける支持腕６１を形成した高圧引下線支持金物６２が提案されている。この高圧引下線支持金物６２は、支持腕６１の上方に突設されて、高圧用腕金５２の端部に嵌められる下向きコ字形状の前腕６３と、この前腕６３にそれぞれ連結した、高圧用腕金５２の軸方向に沿う添え腕６４と、高圧用腕金５２に上方から跨ぐように嵌められる下向きコ字形状の後腕６５と添え腕６４に開けた貫通孔６６にボルト６７とナット６８で締結するようになっている。更に、図１１に示す高圧引下線支持金物６２には、活線作業用器具Ａを用いて取り扱えるように把持部６９を設けている。
【０００４】
更に、特許文献１の実開平６−２４３３３号「高圧引下線支持金物」に、高圧用腕金の端部下面に、碍子を設けた支持腕を吊り下げる高圧引下線支持金物において、支持腕の上方に突設されて、腕金の端部に嵌められる枠状の前腕と、この前腕から突設されて、腕金の軸方向に沿う添え腕と、腕金に上方から跨ぐように嵌められるコ字状の後腕と、腕金の下方で後腕の両腕にわたって締結する締結具とから成る高圧引下線支持金物が提案されている（図１１、図１２参照）。
【特許文献１】実開平６−２４３３３号
【０００５】
例えば、活線作業用器具Ａ，Ｃを用いて高圧引下線支持金物６２を高圧用腕金５２に取り付けるときは、図１３と図１４に示すように、次の手順で進めていく。準備段階として、架線，碍子等の必要な箇所へ防具を取り付ける。高圧引下線支持金物６２へ高圧引留碍子、高圧引下線は必要数取付けておく。
高圧引下線支持金物６２の把持部６９を活線作業用器具Ａで把持して高圧用腕金５２の先端部に仮支持する。コ字形状の後腕６５をヤットコ等（図示していない）で把持し、高圧用腕金５２に上方より載せる。コ字形状の後腕６５を高圧引下線支持金物６２のボルト貫通孔６６に合わせる。この場合，脱落防止のため高圧用腕金５２先端側にあるボルト貫通孔６６に合わせる（図１１参照）。
ボルト６７とナット６８をヤットコＢ等で把持し、コ字形状の後腕６５と添え腕６４との合わさっている貫通孔６６へボルト６７を通す。この場合，もう一本のヤットコＢ等で高圧引下線支持金物６２の中間部を補助してボルト６７を通す。ナット６８を間接ラチェット等の活線作業用器具Ｃ又はアングルスパナ（２軸回転操作棒）により固定する。最後の締め付けは間接ラチェットにより締め増しをする。高圧引下線支持金物６２の取付状況を目視により確認して取付作業を終了する。
【発明の開示】
【発明が解決しようとする課題】
【０００６】
しかし、従来の高圧碍子５７に取り付ける支持金物５６では、その装着に際して、高圧碍子５７を持ち上げる必要があるため、活線作業用器具Ａを用いた間接的な活線近接操作では長時間作業になりやすいという問題を有していた。
【０００７】
また、後腕６５、ボルト６７やナット６８等の複数の部品で構成された高圧引下線支持金物６２を、活線作業用器具Ａ、ヤットコＢ及び間接ラチェットＣを用いて活線近接操作により間接的に配電柱の高圧用腕金５２に装着する際に、部品が落下したり、作業時間が延びたりするという問題を有していた。
【０００８】
本発明は、かかる問題点を解決するために創案されたものである。すなわち、本発明の目的は、後腕を高圧用腕金に容易に掛け止められる構造にすることで、高圧用腕金に安全かつ容易に取り付けることができ、しかも高圧碍子のナットの取付部分が緩んでも高圧用腕金から脱落するおそれがない高圧引下線支持金物及びこの配電柱への着脱方法を提供することにある。
【課題を解決するための手段】
【０００９】
本発明の高圧引下線支持金物によれば、高圧用腕金（５２）の端部に高圧引下線支持金物（１）を、活線作業用器具（Ａ，Ｃ）を用いて間接的な活線近接操作により仮支持すると共に、その状態のまま前記高圧用腕金（５２）に本締めする間接活線作業用の高圧引下線支持金物（１）であって、前記高圧用腕金（５２）の端部から、該高圧用腕金（５２）の軸方向に嵌められる下向き略コ字形状の前腕（２）と、前記前腕（２）の両側それぞれから、前記高圧用腕金（５２）の軸方向に突出するように連結した添え腕（３）と、前記添え腕（３）の後端部に、後腕（４）を構成するために前記高圧用腕金（５２）の横幅と略同間隔に上方に向けてそれぞれ突出させた第一ガイド体（５）と第二ガイド体（６）と、前記第一ガイド体（５）の上部に、第二ガイド体（６）側へ横倒自在に軸支したナット付ボルト（７）と、前記第二ガイド体（６）の上部に形成した、前記ナット付ボルト（７）を係合する係合溝（８）と、を備えた、ことを特徴とする間接活線用高圧引下線支持金物が提供される。
【００１０】
前記前腕（２）の下部に、活線作業用器具（Ａ）で把持できる把持部（１２）を設けた。前記前腕（２）の下部に、高圧引下用バインドレス碍子用の支持部（１３）を設けた。    前記前腕（２）の下部に、高圧ピン碍子用の支持部（１４）を設けた。
【００１１】
本発明の着脱方法によれば、間接活線操作による高圧引下線支持金物（１）の高圧用腕金（５２）への着脱方法であって、前記高圧用腕金（５２）の端部から、該高圧用腕金（５２）の軸方向に嵌められる下向き略コ字形状の前腕（２）と、前記前腕（２）の両側それぞれから、前記高圧用腕金（５２）の軸方向に突出するように連結した添え腕（３）と、前記添え腕（３）の後端部に、後腕（４）を構成するために前記高圧用腕金（５２）の横幅と略同間隔に上方に向けてそれぞれ突出させた第一ガイド体（５）と第二ガイド体（６）と、前記第一ガイド体（５）の上部に、第二ガイド体（６）側へ横倒自在に軸支したナット付ボルト（７）を、前記第二ガイド体（６）の上部に形成した、前記ナット付ボルト（７）を係合する係合溝（８）と、を備えた高圧引下線支持金物（１）を用い、前記前腕（２）下部に取り付けた把持部（１２）を活線作業用器具（Ａ）で把持しながら、後腕（４）を構成する前記第一ガイド体（５）と第二ガイド体（６）を、前記高圧用腕金（５２）に差し込み、前記前腕（２）を前記高圧用腕金（５２）の端部まで嵌挿して仮支持し、前記第一ガイド体（５）上部のナット付ボルト（７）を横倒し、第二ガイド体（６）上部の係合溝（８）に係合させ、ナット（７ａ）を他の活線作業用器具（Ｃ）で螺着することにより、前記高圧用腕金（５２）を第一ガイド体（５）と第二ガイド体（６）とで挟持して、前記高圧引下線支持金物（１）を前記高圧用腕金（５２）に固着する、ことを特徴とする高圧引下線支持金物の配電柱への着脱方法が提供される。
【００１２】
前記高圧引下線支持金物（１）について、前記前腕（２）下部に取り付けた把持部（１２）又は高圧引下用バインドレス碍子用の支持部（１３）を活線作業用器具（Ａ）で把持しながら、前記後腕（４）を構成する前記第一ガイド体（５）上部のナット（７ａ）を他の活線作業用器具（Ｃ）で緩め、ナット付ボルト（７）を係合溝（８）から外し、前記高圧用腕金（５２）の端部から、前腕（２）を軸方向に抜きながら前記高圧引下線支持金物（１）を離脱させる。
【発明の効果】
【００１３】
上記構成の発明では、高圧碍子（５７）を持ち上げることなく、高圧用腕金（５２）に活線作業用器具（Ａ，Ｃ）を用いて取り付け、取り外しを容易に実施することができる。あるいは、高圧用腕金（５２）に高圧碍子（５７）の取付ピンによって活線用ねじりストラップ等の補助金具が同時に取り付けられているときでも、第一ガイド体（５）のナット付ボルト（７）を横倒しにして第二ガイド体（６）の係合溝（８）に係合させる構造であるために、高圧用腕金（５２）の端部に高圧碍子（５７）を取付けた後でも、間接活線着脱方法により安全かつ容易に、取り付けることができる。しかも、高圧碍子（５７）のナットの取付けが緩んでも高圧用腕金（５２）から脱落するおそれがない。
【００１４】
また、本発明の高圧引下線支持金物（１）は、従来のように、高圧用腕金（５２）の上方からコ字形状の後腕（６５）を跨ぐように嵌め、高圧用腕金（５２）の下方で後腕（６５）をボルト（６７）とナット（６８）により締め付ける必要がないように、高圧引下線支持金物（１）に横倒自在になるナット付ボルト（７）が一体化しているので、間接活線取付の労力や作業時間の軽減及び落下防止が可能となる。このナット付ボルト（７）を活線作業用器具（Ａ，Ｃ）で容易に締め付けることができる。
【００１５】
更に、高圧引下線支持金物（１）の高圧用腕金（５２）の端部に嵌められる枠状の前腕（２）下部に、高圧引下用バインドレス碍子又は高圧ピン碍子を支持部（１３、１４）で支持することもできる。
【発明を実施するための最良の形態】
【００１６】
本発明の高圧引下線支持金物は、後腕を高圧用腕金に容易に掛け止められる構造にすることにより、高圧用腕金に安全かつ容易に取り付け、取り外すことができるように構成したものである。
【実施例１】
【００１７】
以下、本発明の好ましい実施の形態を図面を参照して説明する。
図１は本発明の実施例１の高圧引下線支持金物を示す斜視図である。図２は実施例１の高圧引下線支持金物を高圧用腕金に取り付けた状態を示す斜視図である。図３は実施例１の高圧引下線支持金物を配電柱へ活線作業用器具を用いて取り付ける方法を示す斜視図である。
実施例１の高圧引下線支持金物１は、高圧用腕金５２に活線作業用器具Ａ，Ｃを用いて間接的な活線近接操作により仮支持すると共に、その状態のまま高圧用腕金５２に本締めする間接活線作業用のものである。
【００１８】
高圧引下線支持金物１は、高圧用腕金５２の端部から、この高圧用腕金５２の軸方向に嵌められる下向き略コ字形状の前腕２と、この前腕２の両側それぞれから、高圧用腕金５２の軸方向に突出するように連結した添え腕３と、この添え腕３の後端部に、後腕４を構成するために高圧用腕金５２の横幅と略同間隔に上方に向けてそれぞれ突出させた２本の第一ガイド体５と第二ガイド体６とを備えたものである。
【００１９】
第一ガイド体５の上部に、第二ガイド体６側へ横倒自在になるナット付ボルト７を軸支した。第二ガイド体６の上部に、このナット付ボルト７を係合する係合溝８を形成した。この第二ガイド体６の上端部には、ナット付ボルト７のナット７ａが抜けないようにく字形状に緩く曲折した曲折部９を形成している。実施例１の高圧引下線支持金物１には、前腕２の端部に、高圧引留碍子１０を取り付ける支持腕１１を設けている。この支持腕１１と前腕２との中間位置に、活線作業用器具Ａを用いて取り扱えるように把持部１２を連結している。
【００２０】
図３は実施例１の高圧引下線支持金物を配電柱の高圧用腕金へ活線作業用器具を用いて取り付ける方法を示す斜視図である。
実施例１の高圧引下線支持金物１を配電柱５１の高圧用腕金５２へ活線作業用器具Ａ，Ｃを用いて取り付けるときは、高圧引下線支持金物１の前腕２に取り付けた把持部１２を活線作業用器具（トング）Ａで把持しながら、この高圧引下線支持金物１を高圧用腕金５２に嵌挿するように掛け止める。即ち、後腕４を構成する第一ガイド体５と第二ガイド体６から高圧用腕金５２に差し込み、前腕２を高圧用腕金５２の端部まで嵌挿する。
次に、第一ガイド体５上部に軸支したナット付ボルト７を横倒しにして、第二ガイド体６上部の係合溝８に係合させ、このナット付ボルト７のナット７ａを活線作業用器具（ラチェット）Ｃで螺着する。このナット７ａの締め付けで、第一ガイド体５と第二ガイド体６とで高圧用腕金５２を強固に締め付けることにより、高圧引下線支持金物１を高圧用腕金５２に固着することになる。
【００２１】
一方、実施例１の高圧引下線支持金物１を高圧用腕金５２から活線作業用器具Ａ，Ｃを用いて取り外すときは、前腕２の把持部１２を活線作業用器具Ａで把持する。次に、後腕４を構成する第二ガイド体６上部に締め付けたナット付ボルト７のナット７ａを活線作業用器具Ｃで緩め、ナット付ボルト７を係合溝８から外すことにより、前腕２を高圧用腕金５２の端部から軸方向に引き抜くように離脱させる。
【００２２】
このように、本発明の高圧引下線支持金物１では、高圧碍子５７を持ち上げることなく、高圧用腕金５２に活線作業用器具Ａ，Ｃを用いて取り付け、取り外すことができる。更に、高圧用腕金５２に高圧碍子５７の取付ピンによって活線用ねじりストラップ等の補助金具が同時に取り付けられているときでも、第一ガイド体５のナット付ボルト７を倒すようにして第二ガイド体６の係合溝８に係合させる構造であるために、高圧用腕金５２の端部に高圧碍子５７を取付けた後でも、間接活線着脱方法により安全かつ容易に取り付けることができる。しかも、高圧碍子５７のナットの取付けが緩んでも高圧用腕金５２から脱落するおそれがない。
【００２３】
また、本発明の高圧引下線支持金物１は、従来のように、高圧用腕金５２の上方からコ字形状の後腕６５を跨ぐように嵌め、高圧用腕金５２下方で後腕６５をボルト６７とナット６８により締め付ける必要がなく、高圧引下線支持金物１にナット付ボルト７を一体化することにより、活線作業用器具Ａ，Ｃで容易に締め付けることができる。
【実施例２】
【００２４】
図４は実施例２の高圧引下線支持金物を示す斜視図である。
実施例２の高圧引下線支持金１は、前腕２の下部に、高圧引下用バインドレス碍子用の支持部１３を設けたものである。この支持部１３は、例えば断面がＬ字形状した部材を用いることができる。このように支持部１３を前腕２に設けることで、上述した実施例１のような把持部１２を省略することができる。
【００２５】
図５は実施例２の高圧引下線支持金物を配電柱へ活線作業用器具を用いて取り付ける方法を示す斜視図である。
実施例２の高圧引下線支持金物１についても、実施例１と同様に活線作業用器具（トング）Ａを用いて配電柱５１の高圧用腕金５２へ取り付けることができる。このときは図示するように、前腕２に取り付けた高圧引下用バインドレス碍子用の支持部１３を活性作業用器具Ａで把持しながらこの高圧引下線支持金物１を高圧用腕金５２にその軸方向に嵌挿するように掛け止める。即ち、後腕４を構成する第一ガイド体５と第二ガイド体６を高圧用腕金５２に差し込み、前腕２を高圧用腕金５２の端部に嵌挿して仮支持する。
次に、第一ガイド体５上部に軸支したナット付ボルト７を倒すようにして第二ガイド体６上部の係合溝８に係合させ、このナット付ボルト７のナット７ａを活線作業用器具（ラチェット）Ｃで螺着する。このナット付ボルト７のナット７ａの締め付けにより、第一ガイド体５と第二ガイド体６とで高圧用腕金５２を強固に締め付けることになり、高圧引下線支持金物１を高圧用腕金５２に固着することになる。
【００２６】
一方、実施例２の高圧引下線支持金物１を高圧用腕金５２から活線作業用器具Ａ、Ｃを
用いて取り外すときは、前腕２の高圧引下用バインドレス碍子用の支持部１３を活線作業用器具Ａで把持する。次に、第二ガイド体５上部に締め付けたナット付ボルト７のナット７ａを活線作業用器具Ｃで緩め、ナット付ボルト７を係合溝８から外すことにより、前腕２を高圧用腕金５２の端部から軸方向に引き抜くように離脱させる。
【実施例３】
【００２７】
図６は実施例３の高圧引下線支持金物を斜視図である。
実施例３の高圧引下線支持金物１は、前腕２の下部に、高圧ピン碍子用の支持部１４を設けたものである。この支持部１４は、例えば断面が薄型の長方形状の枠部材を用いたものである。
【００２８】
なお、本発明の高圧引下線支持金物１は、高圧碍子５７を持ち上げることなく、高圧用腕金５２に前腕２部分で取り付け、後腕４が第一ガイド体５のナット付ボルト７を倒すようにして第二ガイド体６の係合溝８に係合させることにより、高圧用腕金５２に強固に取り付ける構造のものであれば、上述した発明の実施の形態に限定されず、本発明の要旨を逸脱しない範囲で種々変更できることは勿論である。
【産業上の利用可能性】
【００２９】
本発明の高圧引下線支持金物は、主に高圧線の配電柱の高圧用腕金に取り付けているが、更に支持金物を高圧用腕金のような棒状の部材に着脱自在に取り付けることができる場所であればこの高圧用腕金以外のものにも利用することができる。
【図面の簡単な説明】
【００３０】
【図１】本発明の実施例１の高圧引下線支持金物を示す斜視図である。
【図２】実施例１の高圧引下線支持金物を高圧用腕金に取り付けた状態を示す斜視図である。
【図３】実施例１の高圧引下線支持金物を高圧用腕金に活線作業用器具を用いて取り付ける方法を示す斜視図である。
【図４】実施例２の高圧引下線支持金物を示す斜視図である。
【図５】実施例２の高圧引下線支持金物を高圧用腕金に活線作業用器具を用いて取り付ける方法を示す斜視図である。
【図６】実施例３の高圧引下線支持金物を示す斜視図である。
【図７】高圧引下線支持金物を使用する配電柱を示す正面図である。
【図８】従来のＬ字状の掛止孔を設けた支持金物を示す斜視図である。
【図９】従来のＬ字状の掛止孔を設けた支持金物の他の形態を示す斜視図である。
【図１０】従来のＬ字状の掛止孔を設けた支持金物を高圧用腕金に取り付けた状態を示す斜視図である。
【図１１】従来のコ字形状の前腕と後腕を有する支持金物を示す斜視図である。
【図１２】従来のコ字形状の前腕と後腕を有する支持金物の他の形態を示す斜視図である。
【図１３】従来のコ字形状の前腕と後腕を有する支持金物を高圧用腕金に活線作業用器具を用いて取り付ける方法を示す斜視図である。
【図１４】従来のコ字形状の前腕と後腕を有する支持金物を高圧用腕金に取り付けた状態を示す斜視図である。
【符号の説明】
【００３１】
１  高圧引下線支持金物
２  前腕
３  添え腕
４  後腕
５  第一ガイド体
６  第二ガイド体
７  ナット付ボルト
７ａ  ナット
８  係合溝
９  曲折部
１０  高圧引留碍子
１１  支持腕
１２  把持部
１３  支持部（高圧引下用バインドレス碍子用）
１４  支持部（高圧ピン碍子用）
５２  高圧用腕金
Ａ  活線作業用器具（トング）
Ｃ  活線作業用器具（ラチェット）
【図１】
2006050855.tif 000003
【図２】
2006050855.tif 000004
【図３】
2006050855.tif 000005
【図４】
2006050855.tif 000006
【図５】
2006050855.tif 000007
【図６】
2006050855.tif 000008
【図７】
2006050855.tif 000009
【図８】
2006050855.tif 000010
【図９】
2006050855.tif 000011
【図１０】
2006050855.tif 000012
【図１１】
2006050855.tif 000013
【図１２】
2006050855.tif 000014
【図１３】
2006050855.tif 000015
【図１４】
2006050855.tif 000016